(57)【要約】【課題】設置のための位置決め凹部を予め形成して構造単純化とコストダウンを図ることができる浴槽と施工時間の短縮と施工コストの削減を図ることができる浴槽の設置構造を提供すること。【解決手段】フレーム５を用いて洗い場パンに隣接して設置される浴槽１において、前記フレーム５に嵌合される凹溝（位置決め凹部）４を予め一体に且つ当該浴槽の短手方向に幅一杯に平行に成形されたリブ３によって形成する。又、フレーム５を用いて浴槽１を洗い場パン１０に隣接して設置する構造として、前記フレーム５に嵌合する凹溝４を前記浴槽１の下面に突設されたリブ３によって形成し、浴槽１をその下面に形成された前記凹溝４が前記フレーム５に嵌合するように載置して設置する。【選択図】図１４
2010104631.tif 000002
【特許請求の範囲】
【請求項１】
フレームを用いて洗い場パンに隣接して設置される浴槽において、
前記フレームに嵌合される位置決め凹部を予め一体に且つ当該浴槽の短手方向に幅一杯に平行に成形されたリブによって形成したことを特徴とする浴槽。
【請求項２】
フレームを用いて浴槽を洗い場パンに隣接して設置する構造であって、
浴槽をその下面に予め一体に成形されたリブによって形成された位置決め凹部が前記フレームに嵌合するように載置して設置することを特徴とする浴槽の設置構造。
【請求項３】
前記フレームの一端を前記浴槽に隣設される洗い場パンに差し込み、該フレームの少なくとも浴槽側端部と洗い場パン側端部を支持脚を介して支持することを特徴とする請求項２記載の浴槽の設置構造。
【請求項４】
前記各支持脚に高さ調整用ボルトを上下動可能に螺合したことを特徴とする請求項３記載の浴槽の設置構造。
【発明の詳細な説明】
【技術分野】
【０００１】
本発明は、フレームを用いて洗い場パンに隣接して設置される浴槽とその設置構造に関するものである。
【背景技術】
【０００２】
近年、施工性を考慮して、浴槽を洗い場パン、天井、壁等と共にユニット化してユニットバスとして構成することが行われているが、このユニットバスは、ユニット化された浴槽、洗い場パン、天井、壁等を予め工場で成型しておき、これらを施工現場に搬入して組み立てるものであって、戸建住宅やマンション等の集合住宅を含む種々の建築物に採用されている。
【０００３】
ところで、浴槽と洗い場パンから成るサニタリーユニットの取付構造に関して、例えば特許文献１には、サニタリーユニットをフレーム上に載置し、浴槽と洗い場の下面に突設されたフランジ（リブ）とフレームとをフックボルトとナットによって結合する構成が提案されている。
【特許文献１】実公昭６１−０１０５５４号公報
【発明の開示】
【発明が解決しようとする課題】
【０００４】
ところが、特許文献１において提案された構成では、サニタリーユニット（浴槽と洗い場パン）の下面に突設されたフランジ（リブ）やフレームにフックボルトを通すための孔を加工する必要がある他、フックボルトやナット等の締結具が必要となって部品点数が増加し、設置に際して締結具を締め付ける作業が必要であるために施工に長時間を要するとともに、コストアップを招くという問題があった。
【０００５】
本発明は上記問題に鑑みてなされたもので、その目的とする処は、設置のための位置決め凹部を予め形成して構造単純化とコストダウンを図ることができる浴槽と施工時間の短縮と施工コストの削減を図ることができる浴槽の設置構造を提供することにある。
【課題を解決するための手段】
【０００６】
上記目的を達成するため、請求項１記載の発明は、フレームを用いて洗い場パンに隣接して設置される浴槽において、前記フレームに嵌合される位置決め凹部を予め一体に且つ当該浴槽の短手方向に幅一杯に平行に成形されたリブによって形成したことを特徴とする。
【０００７】
請求項２記載の発明は、フレームを用いて浴槽を洗い場パンに隣接して設置する構造として、前記フレームに嵌合する位置決め凹部を前記浴槽の下面に突設されたリブによって形成し、浴槽をその下面に形成された前記位置決め凹部が前記フレームに嵌合するように載置して設置することを特徴とする。
【０００８】
請求項３記載の発明は、請求項２記載の発明において、前記フレームの一端を前記浴槽に隣設される洗い場パンに差し込み、該フレームの少なくとも浴槽側端部と洗い場パン側端部を支持脚を介して支持することを特徴とする。
【０００９】
請求項４記載の発明は、請求項３記載の発明において、前記各支持脚に高さ調整用ボルトを上下動可能に螺合したことを特徴とする。
【発明の効果】
【００１０】
請求項１記載の発明によれば、浴槽を洗い場パンに隣接して設置するに際して嵌合する位置決め凹部を当該浴槽に予め一体に成形されたリブを有効利用して形成したため、浴槽の構造が単純化し、コストダウンが図られる。
【００１１】
請求項２記載の発明によれば、浴槽の下面に突設されたリブを利用して位置決め凹部を形成し、該位置決め凹部を水平に設置されたフレームに嵌合させることによって浴槽をフレーム上に載置するようにしたため、浴槽のリブやフレームへの孔加工が不要となり、ボルト等の締結具を用いることなく、浴槽の下面に形成された位置決め凹部をフレームに嵌合させて該フレーム上に載置するだけで浴槽の設置が完了する。この結果、浴槽を施工性良く短時間で設置することができ、施工時間の短縮と施工コストの削減を図ることができる。
【００１２】
請求項３記載の発明によれば、共通のフレームを用いて浴槽と洗い場パンの設置が可能となり、洗い場パン側に従来設けられていたフレームを省略することができるため、浴槽と洗い場パンの施工性が高められ、施工時間を短縮して施工コストの削減を図ることができる。又、洗い場パンを水平に設置してそのレベル出しを行った後、フレームの先端を洗い場に差し込んで該フレームを水平に設置した後、そのレベル出しを洗い場パンのレベルに合わせて簡易且つ効率良く行うことができ、最後にフレーム上に浴槽をその下面に形成された位置決め凹部がフレームに嵌合するよう載置することによって、浴槽と洗い場パンを共通のフレームによって連結するとともに、両者のレベル出しを効率良く行うことができるため、浴槽と洗い場パンの設置を施工性良く短時間で行うことができる。
【００１３】
請求項４記載の発明によれば、各支持脚に螺合する高さ調整用ボルトを回すことによって浴槽と洗い場パンのレベル出しを簡易且つ効率良くに行うことができる。
【発明を実施するための最良の形態】
【００１４】
以下に本発明の実施の形態を添付図面に基づいて説明する。
【００１５】
図１はフレームが嵌合された浴槽の斜視図、図２は同浴槽の底面側斜視図、図３はフレームの浴槽への嵌合要領を示す浴槽の底面側斜視図、図４は支持脚が結着されたフレームの斜視図、図５はフレームと支持脚を分解して示す斜視図、図６は洗い場パンの斜視図、図７は同洗い場パンの底面側斜視図、図８は同洗い場パン底面の分解斜視図、図９は浴槽と洗い場パンの組付要領を示す底面側分解斜視図、図１０は組付一体化された浴槽と洗い場パンの底面側斜視図、図１１は図１０のＡ部破断斜視図、図１２は組付一体化された浴槽と洗い場パンの斜視図、図１３は組付一体化された浴槽と洗い場パンの底面側図、図１４は図１３のＢ−Ｂ線断面図、図１５は図１４のＣ−Ｃ線断面図、図１６は図１５のＤ部拡大詳細図である。
【００１６】
図１〜図３に示す浴槽１は、ＦＲＰ、ステンレス、ホーロー等の耐水性及び耐熱性の高い材料で一体成形されたものであって、その底部には円孔状の排水口２が開口している。又、この浴槽１の下面の長手方向両端部には、図３に示すように、短手方向に互いに平行に延びるリブ３が下方に向かって垂直に立設されており、これらのリブ３の間には短手方向に長い位置決め凹部としての凹溝４がそれぞれ形成されている。尚、本実施の形態では、凹溝４は既設のリブ３によって形成されているが、対向するリブ３同士は一端で連結され、これらの間には一端が閉塞された凹溝４が形成されている。又、リブ３は浴槽１の下面のほぼ両端に近い位置に予め一体に当該浴槽１の短手方向に幅一杯に平行に成形されている。そして、左右のリブ３は、浴槽１を水平に載置することができるよう高さを揃えて設けられている。このように構成された浴槽１は、前記のようにフレーム５を用いた設置構造に用いる他に、防水パンを使用する場合や、直接地面に載置する場合に共通の浴槽で対応することができるようになる。又、その際、浴槽１の両端にリブ３が設けられていることによって、そのような設置構造を採用する場合に浴槽１を安定して載置することができる。
【００１７】
そして、浴槽１の下面の長手方向両端部にそれぞれ形成された凹溝４には、鋼製の角パイプから成る直線状のフレーム５が図１及び図２に示すように嵌合されている。各フレーム５の長さは浴槽１底部の短手方向長さ（幅）よりも長く設定されており、これが浴槽１の下面に形成された凹溝４に嵌合した状態では、その一部が図示のように浴槽１の下面から側方（後述の洗い場パン１０）に向かって延設されている。
【００１８】
上記各フレーム５の浴槽１下面に形成された凹溝４に嵌合する部分の一端下面には、図４に示すように円柱状の支持脚６が垂直に結着されており、他端下面にはネジ孔２３が形成されている。支持脚６は、図５に示すように、フレーム５とは別体に構成されており、これの下部には高さ調整用ボルト７が上下動可能に螺合している。そして、支持脚６は、フレーム５の端部下面に溶着されており、その下部に螺合する高さ調整用ボルト７には２つのナット（ダブルナット）８，９が螺合しており、これらのナット８，９を緩めると高さ調整用ボルト７を自由に回すことができ、ナット８，９を締め付けると高さ調整用ボルト７の回転をロックすることができる。
【００１９】
他方、図６〜図８に示す洗い場パン１０は、樹脂の一体成形品であって、その浴槽１側の一部には円孔状の排水口１２が形成されている。又、洗い場パン１０の下面には、図７及び図８に示すように、格子状のリブ１３が垂直下方に立設されており、該リブ１３の前記排水口１２の両側部分（後述のようにフレーム５の先端部が差し込まれる部分）には矩形状の複数の切欠き１３ａがそれぞれ形成されている。具体的には、洗い場パン１０の長手方向に延びるリブ１３のうち、浴槽１側（図８の奥側）端部から３枚のリブ１３の左右２箇所に前記切欠き１３ａがそれぞれ形成されており、各切欠き１３ａは下方に向かって開口している。
【００２０】
又、洗い場パン１０下面の排水口１２の左右両側（後述のように洗い場パン１０のリブ１３に形成された切欠き１３ａに差し込まれるフレーム５の先端部を下方から覆う箇所）と、浴槽１とは反対側（図７及び図８の手前側）の左右両端部には、下面に支持脚１４，１５が垂直に固着された矩形の金属製プレート１６，１７がそれぞれ取り付けられている。そして、左右一対のプレート１６の幅方向中央にはネジ挿通孔２４がそれぞれ形成されている。
【００２１】
ここで、各プレート１６，１７の中央にそれぞれ溶着された支持脚１４，１５は、フレーム５の一端に固着された前記支持脚６（図１〜図５参照）と同様に円柱状に成形され、その下部には高さ調整用ボルト１８，１９がそれぞれ上下動可能に螺合している。そして、各支持脚１４，１５の下部に螺合する高さ調整用ボルト１８，１９には２つのナット（ダブルナット）２０，２１が螺合しており、これらのナット２０，２１を緩めると高さ調整用ボルト１８，１９を自由に回すことができ、ナット２０，２１を締め付けると高さ調整用ボルト１８，１９の回転をロックすることができる。
【００２２】
而して、支持脚１４，１５が結着された各プレート１６，１７は、図８に示すように、その四隅に下方から挿通するネジ２２を洗い場パン１０にねじ込むことによって図６及び図７に示すように洗い場パン１０の下面の所定箇所に取り付けられており、該プレート１６，１７とこれらによって塞がれる格子状のリブ１３によって形成される袋状の空間によって差込部１１（図１１参照）が構成されている。そして、各差込部１１には、リブ１３に形成された前記切欠き１３ａが開口している。
【００２３】
次に、浴槽１と洗い場パン１０の設置要領について説明する。
【００２４】
図９に示すように、浴槽１の下面に形成された左右２つの凹溝４にフレーム５を嵌合させてこれを固定し、各フレーム５の浴槽１から洗い場パン１０に向かって延出する部分を洗い場パン１０に突設されたリブ１３に形成された切欠き１３ａに嵌め込み、その先端を図１１に示す差込部１１に差し込む。次に、図１０に示すように、左右の各プレート１６に形成されたネジ挿通孔２４に下方から挿通するネジ２５を各フレーム５の端部に形成されたネジ孔２３にねじ込むと、各フレーム５の端部が洗い場パン１０に固定され、図１０〜図１４に示すように、浴槽１と洗い場パン１０が共通のフレーム５によって連結一体化される。尚、このとき、洗い場パン１０の床パネル１１には、支持脚１４，１５が結着されたプレート１６，１７が予め取り付けられている。
【００２５】
上述のように各フレーム５の浴槽１から洗い場パン１０に向かって延出する部分が洗い場パン１０の下面に立設されたリブ１３に形成された切欠き１３ａに嵌め込まれ、その先端が洗い場パン１０の下面に形成された差込部１１（図１１参照）に差し込まれてネジ２５によって固定されると、該フレーム５の先端部は、図１１、図１５及び図１６に示すように、プレート１６によって洗い場パン１０からの脱落が防がれるとともに、洗い場パン１０の下面に取り付けられた支持脚１４によって床面ＦＬ上に水平に支持される。
【００２６】
従って、図１４に示すように、洗い場パン１０は、その下面に取り付けられた計４つの支持脚１４，１５によって床面ＦＬ上に水平に支持されて設置され、浴槽１は、左右２本のフレーム５と、各フレーム５の長手方向両端を受ける計４つの支持脚６，１４によって床面ＦＬ上に水平に支持されて設置される。
【００２７】
ところで、浴槽１と洗い場パン１０の設置に際しては、先ず、洗い場パン１０が計４つの支持脚１４，１５によって床面ＦＬ上に自立して略水平に設置された後、各２本ずつ計４本の高さ調整用ボルト１８，１９によって洗い場パン１０のレベル出しが行われる。即ち、この洗い場パン１０のレベル出しに際しては、各高さ調整用ボルト１８，１９に螺合するナット２０，２１を緩めて高さ調整用ボルト１８，１９の回転のロックを解除した後、該高さ調整用ボルト１８，１９を回してこれらを支持脚１４，１５に対してそれぞれ上下動させ、洗い場パン１０の高さを調整してそのレベル出しを行う。
【００２８】
上述のようにして洗い場パン１０の設置とレベル出しが終了すると、２本のフレーム５をその一端に結着された支持脚６を介して床面ＦＬ上に設置し、その他端を洗い場パン１０に突設されたリブ１３に形成された切欠き１３ａに嵌め込み、その先端を差込部１１に差し込んでネジ２５によって固定することによって該フレーム５を略水平に支持する。そして、支持脚６に設けられた高さ調整用ボルト７を回してフレーム５のレベル出しを行うが、このとき、洗い場パン１０のレベル出しは既になされているため、フレーム５のレベル出しは該フレーム５の高さを洗い場パン１０のレベルに合わせることによって簡易且つ効率良く行うことができ、最後にフレーム５上に浴槽１をその下面に形成された凹溝４がフレーム５に嵌合するよう載置することによって設置することができる。
【００２９】
以上のように、本発明に係る設置構造によれば、浴槽１の下面に予め一体成形されたリブ３を有効利用して位置決め凹部である凹溝４を形成し、該凹溝４を水平に設置されたフレーム５に嵌合させることによって浴槽１をフレーム５上に載置するようにしたため、浴槽１のリブ３やフレーム５への孔加工が不要となり、ボルト等の締結具を用いることなく、浴槽１の下面に形成された凹溝４をフレーム５に嵌合させて該フレーム５上に載置するだけで浴槽１の設置が完了する。この結果、浴槽１を施工性良く短時間で設置することができ、施工時間の短縮と施工コストの削減を図ることができる。
【００３０】
又、本実施の形態によれば、共通のフレーム５を用いて浴槽１と洗い場パン１０の設置が可能となり、洗い場パン１０側に従来設けられていたフレームを省略することができるため、浴槽１と洗い場パン１０の施工性が高められ、施工時間を短縮して施工コストの削減を図ることができる。
【００３１】
更に、洗い場パン１０を水平に設置してそのレベル出しを行った後、フレーム５の先端を洗い場パネル１０の差込部１１に差し込んでネジ２５によって固定することによって該フレーム５を水平に設置した後、そのレベル出しを洗い場パン１０のレベルに合わせて簡易且つ効率良く行うことができ、最後にフレーム５上に浴槽１をその下面に形成された凹溝４がフレーム５に嵌合するよう載置することによって、浴槽１と洗い場パン１０を共通のフレーム５によって連結するとともに、両者のレベル出しを効率良く行うことができるため、浴槽１と洗い場パンの１０設置を施工性良く短時間で行うことができる。
【００３２】
又、本実施の形態では、浴槽１を洗い場パン１０に隣接して設置するに際して嵌合する凹溝４を当該浴槽１に予め一体に成形されたリブ３を有効利用して形成したため、浴槽１の構造が単純化し、コストダウンが図られる。尚、浴槽１の裏面に予め一体成形された左右のリブ３は、前述のように浴槽１を水平に載置することができるよう高さを揃えて設けられているため、フレーム５を用いないで浴槽１を設置する場合にはリブ３は脚としての機能を発揮することができる。
【００３３】
尚、以上の実施の形態では、各フレーム５の一端に立設される支持脚６を円柱状としたが、図１７に示すように支持脚６を角柱状とし、左右の支持脚６に鋼板製のステー２６の両端を各２本のネジ２７によって固定することによって該ステー２６を左右の支持脚６間に架設し、このステー２６によって支持脚６を補強するようにしても良い。ここで、ステー６として剛性の高い横断面Ｌ字状のアングル材を使用すれば、更に高い補強効果を得ることができる。
【００３４】
次に、本発明の別実施形態を図１８及び図１９に示す。
【００３５】
図１８は本発明の別実施形態に係るフレームの嵌合構造を示す浴槽の底面側斜視図、図１９はフレームが嵌合された浴槽の底面側斜視図であり、本実施の形態では、フレーム５’を角パイプで枠体状に成形された一体物とし、そのコーナー部に支持脚６を垂直に結着している。そして、図１８に示すように、浴槽１の下面にはリブ３’によってフレーム５’の外形に沿う凹溝４’を形成し、図１９に示すように、この凹溝４’にフレーム５’の一部が嵌合するよう構成している。
【００３６】
而して、本実施の形態においても、共通のフレーム５’を用いて浴槽１と洗い場パン１０の設置が前記実施の形態と同様になされるため、前記実施の形態と同様の効果が得られる。
【００３７】
尚、以上の実施の形態では、フレーム５の一端を洗い場パン１０の差込部１１に差し込んで洗い場パン１０を支持する支持脚１４によって該フレーム５の一端を支持する構成を採用したが、フレーム５の長手方向両端に支持脚６を固着し、これらの支持脚６によってフレーム５を独立に支持するようにしても良い。
【図面の簡単な説明】
【００３８】
【図１】フレームが嵌合された浴槽の斜視図である。
【図２】フレームが嵌合された浴槽の底面側斜視図である。
【図３】フレームの浴槽への嵌合要領を示す浴槽の底面側斜視図である。
【図４】支持脚が結着された補強フレームの斜視図である。
【図５】フレームと支持脚を分解して示す斜視図である。
【図６】洗い場パンの斜視図である。
【図７】洗い場パンの底面側斜視図である。
【図８】洗い場パン底面の分解斜視図である。
【図９】浴槽と洗い場パンの組付要領を示す底面側分解斜視図である。
【図１０】組付一体化された浴槽と洗い場パンの底面側斜視図である。
【図１１】図１０のＡ部破断斜視図である。
【図１２】組付一体化された浴槽と洗い場パンの斜視図である。
【図１３】組付一体化された浴槽と洗い場パンの底面側図である。
【図１４】図１３のＢ−Ｂ線断面図である。
【図１５】図１４のＣ−Ｃ線断面図である。
【図１６】図１５のＤ部拡大詳細図である。
【図１７】本発明の変形例を示す浴槽の底面側斜視図である。
【図１８】本発明の別実施形態に係るフレームの嵌合構造を示す浴槽の底面側斜視図である。
【図１９】本発明の別実施形態に係るフレームが嵌合された浴槽の底面側斜視図である。
【符号の説明】
【００３９】
１，１’    浴槽
２          排水口
３，３’    リブ
４，４’    凹溝（位置決め凹部）
５，５’    フレーム
６          支持脚
７          高さ調整ボルト
８，９      ナット
１０        洗い場パン
１１        差込部
１２        排水口
１３        リブ
１３ａ      リブの切欠き
１４，１５  支持脚
１６，１７  プレート
１８，１９  高さ調整用ボルト
２０，２１  ナット
２２        ネジ
２３        ネジ孔
２４        ネジ挿通孔
２５        ネジ
２６        ステー
２７        ネジ
ＦＬ        床面
【図１】
2010104631.tif 000003
【図２】
2010104631.tif 000004
【図３】
2010104631.tif 000005
【図４】
2010104631.tif 000006
【図５】
2010104631.tif 000007
【図６】
2010104631.tif 000008
【図７】
2010104631.tif 000009
【図８】
2010104631.tif 000010
【図９】
2010104631.tif 000011
【図１０】
2010104631.tif 000012
【図１１】
2010104631.tif 000013
【図１２】
2010104631.tif 000014
【図１３】
2010104631.tif 000015
【図１４】
2010104631.tif 000016
【図１５】
2010104631.tif 000017
【図１６】
2010104631.tif 000018
【図１７】
2010104631.tif 000019
【図１８】
2010104631.tif 000020
【図１９】
2010104631.tif 000021